(57)【要約】【課題】  カーオーディオ（情報処理装置）の製造コストを低減できるようにする。【解決手段】２つのモードのうちいずれのモードでその表示制御装置１０が動作するかを判断するモード判断部１５と、表示部５２に表示させる画像データを格納可能な４以上のメモリ手段１３とをそなえ、モード判断部１５が第２のモードであると判断した場合に、４以上のメモリ手段１３のデータのうち少なくとも２のメモリ手段１３を一の表示部５２に対する画像データの表示に用いるとともに、他の２以上のメモリ手段１３を他の表示部５２に対する画像データの表示に用い、モード判断部１５が第１のモードであると判断した場合に、４以上のメモリ手段１３を一の表示部５２に対する画像データの表示に用いる。【選択図】        図１
2006258862.tif 000002
【特許請求の範囲】
【請求項１】
一の表示部に対する表示制御を行なう第１のモードと、２以上の該表示部に対する表示制御を行なう第２のモードとの２つのモードのうち、いずれかの該モードで選択的に動作可能な表示制御装置であって、
前記２つのモードのうちいずれのモードで当該表示制御装置が動作するかを判断するモード判断部と、
該表示部に表示させる画像データを格納可能な４以上のメモリ手段とをそなえ、
該モード判断部が該第２のモードであると判断した場合に、前記４以上のメモリ手段のデータのうち少なくとも２の該メモリ手段を該一の表示部に対する該画像データの表示に用いるとともに、他の２以上の該メモリ手段を他の該表示部に対する該画像データの表示に用い、
該モード判断部が該第１のモードであると判断した場合に、前記４以上のメモリ手段を該一の表示部に対する該画像データの表示に用いることを特徴とする、表示制御装置。
【請求項２】
該モード判断部が該第２のモードであると判断した場合に、前記４以上のメモリ手段のデータのうち少なくとも２の該メモリ手段を該一の表示部に対する該画像データの表示に用いるとともに、他の２以上の該メモリ手段を他の該表示部に対する該画像データの表示に用い、該モード判断部が該第１のモードであると判断した場合に、前記４以上のメモリ手段を該一の表示部に対する該画像データの表示に用いるように、前記４以上のメモリ手段の切替を行なうメモリ切替制御部をそなえることを特徴とする、請求項１記載の表示制御装置。
【請求項３】
前記４以上のメモリ手段において、少なくとも１の該メモリ手段に格納された画像データと、他の少なくとも１の該メモリ手段に格納された画像データとを重ね合わせる重合部をそなえることを特徴とする、請求項１または請求項２記載の表示制御装置。
【請求項４】
前記少なくとも１の該メモリ手段に格納される画像データが、所定の透過率で表示されるべきものであるか否かを示す透過情報をそなえ、
該重合部が該透過情報に基づいて、前記画像データの重ね合わせを行なうことを特徴とする、請求項３記載の表示制御装置
【請求項５】
当該表示制御装置の外部からのアニメーション指示信号を受信した場合に、前記４以上のメモリ手段のデータのうち少なくとも２の該メモリ手段に、該アニメーションを構成する該画像データをそれぞれ格納し、当該メモリ手段に格納された該画像データを順次該表示部に対して表示させることにより、該表示部に該アニメーションを表示させることを特徴とする、請求項１〜請求項４のいずれか１項に記載の表示制御装置。
【請求項６】
前記４以上のメモリ手段のデータのうち少なくとも２の該メモリ手段にそれぞれ格納された該画像データを該表示部に対して表示させる時間を任意に設定可能な表示間隔設定部をそなえることを特徴とする、請求項５記載の表示制御装置。
【請求項７】
前記一の表示部において該アニメーションを部分的に表示させる部分領域を設定可能な部分領域設定部をそなえ、
前記４以上のメモリ手段のデータのうち少なくとも２の該メモリ手段に、該アニメーションを構成する該画像データをそれぞれ格納し、当該メモリ手段に格納された該画像データを順次該表示部に対して表示させることにより、該部分領域に該アニメーションを表示させることを特徴とする、請求項５又は請求項６記載の表示制御装置。
【請求項８】
該表示部に表示させるための複数のフォントデータを、当該フォントデータのフォント
サイズ間隔でそれぞれ格納するフォントデータ格納部から該フォントデータを読み出すフォントデータ取得部をそなえ、
該フォントデータ取得部が、該フォントサイズに基づいて該フォントデータ格納部における該フォントデータの格納位置を算出し、当該フォントデータを取得することを特徴とする、請求項１〜請求項７のいずれか１項に記載の表示制御装置。
【請求項９】
該メモリ手段における該画像データの基準位置のオフセット量を指定された場合に、当該指定された該オフセット量に基づいて、該メモリ手段における該画像データをオフセットして該画像データを該表示部に表示させることを特徴とする、請求項１〜請求項８のいずれか１項に記載の表示制御装置。
【請求項１０】
一の表示部に対する表示制御を行なう第１のモードと、２以上の該表示部に対する表示制御を行なう第２のモードとの２つのモードのうち、いずれかの該モードで選択的に動作可能な表示制御装置であって、
前記２つのモードのうちいずれのモードで動作するかを判断するモード判断部と、
該表示部に表示させる画像データを格納可能な複数のメモリ手段とをそなえ、
該モード判断部が該第２のモードであると判断した場合に、前記複数のメモリ手段のデータのうち、少なくとも一方の該メモリ手段を該一の表示部に対する該画像データの表示に用いるとともに、他方の該メモリ手段を他の該表示部に対する該画像データの表示に用い、
該モード判断部が該第１のモードであると判断した場合に、前記複数のメモリ手段を該一の表示部に対する該画像データの表示に用いることを特徴とする、表示制御装置。
【請求項１１】
１以上の表示部と当該表示部に対する表示制御を行なう表示制御装置とをそなえた表示ユニットと、該表示制御装置に対する表示指示を行なう演算部をそなえ、該表示ユニットとシリアル通信によって通信可能に接続された装置本体部とをそなえて構成される情報処理装置であって、
該表示制御装置が、
一の該表示部に対する表示制御を行なう第１のモードと、２以上の該表示部に対する表示制御を行なう第２のモードとの２つのモードのうち、いずれかの該モードで選択的に動作可能であって、
前記２つのモードのうちいずれのモードで当該表示制御装置が動作するかを判断するモード判断部と、
該表示部に表示させる画像データを格納可能な４以上のメモリ手段とをそなえ、
該モード判断部が該第２のモードであると判断した場合に、前記４以上のメモリ手段のデータのうち少なくとも２の該メモリ手段を該一の表示部に対する該画像データの表示に用いるとともに、他の２以上の該メモリ手段を他の該表示部に対する該画像データの表示に用い、
該モード判断部が該第１のモードであると判断した場合に、前記４以上のメモリ手段を該一の表示部に対する該画像データの表示に用いることを特徴とする、情報処理装置。
【発明の詳細な説明】
【技術分野】
【０００１】
本発明は、例えばカーオーディオのように、表示管と表示制御集積回路とをそなえた表示パネルユニットと装置本体とをフレキシブルケーブル等を介したシリアル通信で接続して構成される情報処理装置に用いて好適な、表示制御技術に関する。
【背景技術】
【０００２】
図２４（ａ），（ｂ）はカーオーディオの構成例を模式的に示す斜視図であり、（ａ）はその表示パネルユニットを閉じた状態を示す図、（ｂ）はその表示パネルユニットを開いた状態を示す図である。又、図２５はその回路基板の構成を示す図である。
カーオーディオ２００は、図２４（ａ），（ｂ）に示すように、表示パネルユニット２０２の裏面における下部と、装置本体２０１の前面における下部とをヒンジを介して開閉自在に構成されており、図２４（ａ）に示す閉状態から、表示パネルユニット２０２を装置本体２０１に対して開状態にすることにより（図２４（ｂ）参照）、装置本体２０１の前面部にそなえられたＤＶＤやＣＤ，ＭＤ等のメディア挿入口２０３や各種操作スイッチ（図示省略）が露出し、オペレータがこれらのメディアの挿入や、操作を行なうことができるようになっている。
【０００３】
また、表示パネルユニット２０２の表面にはタッチパネル２０４がそなえられており、図２４（ａ）に示す閉状態において、オペレータがこのタッチパネル２０４上に表示される操作ボタン（図示省略）等に触れることにより、種々の入力操作を行なうことができるようになっている。
図２５に示すように、表示パネルユニット２０２には表示パネル基板２０５がそなえられる一方で、装置本体２０１にはメイン基板２０７がそなえられており、これらの表示パネル基板２０５とメイン基板２０７とは、フレキシブルケーブル２０９により通信可能に接続されている。
【０００４】
表示パネル基板２０５にはタッチパネル２０４に対する表示を制御するための表示制御ＬＳＩ２０６がそなえられており、メイン基板２０７上には、カーオーディオ２００における種々の制御を行なうメインマイコン２０８がそなえられている。又、このメインマイコン２０８は、表示制御ＬＳＩ２０６に対する指示等も行なうようになっている。
図２６はカーオーディオの他の構成例を模式的に示す斜視図であって、その表示パネルユニットを閉じた状態を示す図であり、図２７は従来のカーオーディオにおける表示パネルユニットの回路基板の構成を示す図である。
【０００５】
図２６，図２７に示すカーオーディオ２００′の表示パネルユニット２０２′には２つのタッチパネル２０４がそなえられており、又、これらの２つのタッチパネル２０４をそれぞれ制御するために２つの表示制御ＬＳＩ２０６がそなえられている。
表示制御ＬＳＩは例えば特許文献１に示されるようにＲＡＭに格納された表示データを制御して表示部に画像を表示させるものである。
表示制御ＬＳＩ２０６は、タッチパネル２０４に表示させるための画像データを格納するためのＲＡＭを２つそなえ、これらの２つのＲＡＭのうち、一のＲＡＭに格納された画像データをタッチパネル２０４に出力している間に、次にタッチパネル２０４に表示させるための画像データを他方のＲＡＭに格納し、これらの処理を交互に繰り返し行なうことにより、タッチパネル２０４に動画像（アニメーション）や静止画像を表示させるのである。
【特許文献１】特開平７−１３５３３号公報
【発明の開示】
【発明が解決しようとする課題】
【０００６】
上述の如き従来の表示制御ＬＳＩにおいては、図２６，図２７に示すように、表示パネ
ルユニット２０２′にタッチパネル２０４を複数そなえる場合に、これらのタッチパネル２０４と同数の表示制御ＬＳＩ２０６をそなえて構成する必要があり、これによりカーオーディオの製造コストを増大させるという課題がある。
本発明は、このような課題に鑑み創案されたもので、カーオーディオ（情報処理装置）の製造コストを低減できるようにすることを目的とする。
【課題を解決するための手段】
【０００７】
このため、本発明の表示制御装置（請求項１）は、一の表示部に対する表示制御を行なう第１のモードと、２以上の該表示部に対する表示制御を行なう第２のモードとの２つのモードのうち、いずれかの該モードで選択的に動作可能な表示制御装置であって、前記２つのモードのうちいずれのモードで当該表示制御装置が動作するかを判断するモード判断部と、該表示部に表示させる画像データを格納可能な４以上のメモリ手段とをそなえ、該モード判断部が該第２のモードであると判断した場合に、前記４以上のメモリ手段のデータのうち少なくとも２の該メモリ手段を該一の表示部に対する該画像データの表示に用いるとともに、他の２以上の該メモリ手段を他の該表示部に対する該画像データの表示に用い、該モード判断部が該第１のモードであると判断した場合に、前記４以上のメモリ手段を該一の表示部に対する該画像データの表示に用いることを特徴としている。
【０００８】
なお、該モード判断部が該第２のモードであると判断した場合に、前記４以上のメモリ手段のデータのうち少なくとも２の該メモリ手段を該一の表示部に対する該画像データの表示に用いるとともに、他の２以上の該メモリ手段を他の該表示部に対する該画像データの表示に用い、該モード判断部が該第１のモードであると判断した場合に、前記４以上のメモリ手段を該一の表示部に対する該画像データの表示に用いるように、前記４以上のメモリ手段の切替を行なうメモリ切替制御部をそなえてもよい（請求項２）。
【０００９】
また、前記４以上のメモリ手段において、少なくとも１の該メモリ手段に格納された画像データと、他の少なくとも１の該メモリ手段に格納された画像データとを重ね合わせる重合部をそなえてもよい（請求項３）。
さらに、前記少なくとも１の該メモリ手段に格納される画像データが、所定の透過率で表示されるべきものであるか否かを示す透過情報をそなえ、該重合部が該透過情報に基づいて、前記画像データの重ね合わせを行なってもよい（請求項４）。
【００１０】
また、当該表示制御装置の外部からのアニメーション指示信号を受信した場合に、前記４以上のメモリ手段のデータのうち少なくとも２の該メモリ手段に、該アニメーションを構成する該画像データをそれぞれ格納し、当該メモリ手段に格納された該画像データを順次該表示部に対して表示させることにより、該表示部に該アニメーションを表示させてもよい（請求項５）。
【００１１】
さらに、前記４以上のメモリ手段のデータのうち少なくとも２の該メモリ手段にそれぞれ格納された該画像データを該表示部に対して表示させる時間を任意に設定可能な表示間隔設定部をそなえてもよい（請求項６）。
また、前記一の表示部において該アニメーションを部分的に表示させる部分領域を設定可能な部分領域設定部をそなえ、前記４以上のメモリ手段のデータのうち少なくとも２の該メモリ手段に、該アニメーションを構成する該画像データをそれぞれ格納し、当該メモリ手段に格納された該画像データを順次該表示部に対して表示させることにより、該部分領域に該アニメーションを表示させてもよい（請求項７）。
【００１２】
さらに、該表示部に表示させるための複数のフォントデータを、当該フォントデータのフォントサイズ間隔でそれぞれ格納するフォントデータ格納部から該フォントデータを読み出すフォントデータ取得部をそなえ、該フォントデータ取得部が、該フォントサイズに
基づいて該フォントデータ格納部における該フォントデータの格納位置を算出し、当該フォントデータを取得してもよい（請求項８）。
【００１３】
さらにまた、該メモリ手段における該画像データの基準位置のオフセット量を指定された場合に、当該指定された該オフセット量に基づいて、該メモリ手段における該画像データをオフセットして該画像データを該表示部に表示させてもよい（請求項９）。
また、本発明の表示制御装置（請求項１０）は、一の表示部に対する表示制御を行なう第１のモードと、２以上の該表示部に対する表示制御を行なう第２のモードとの２つのモードのうち、いずれかの該モードで選択的に動作可能な表示制御装置であって、前記２つのモードのうちいずれのモードで動作するかを判断するモード判断部と、該表示部に表示させる画像データを格納可能な複数のメモリ手段とをそなえ、該モード判断部が該第２のモードであると判断した場合に、前記複数のメモリ手段のデータのうち、少なくとも一方の該メモリ手段を該一の表示部に対する該画像データの表示に用いるとともに、他方の該メモリ手段を他の該表示部に対する該画像データの表示に用い、該モード判断部が該第１のモードであると判断した場合に、前記複数のメモリ手段を該一の表示部に対する該画像データの表示に用いることを特徴としている。
【００１４】
さらに、本発明の情報処理装置（請求項１１）は、１以上の表示部と当該表示部に対する表示制御を行なう表示制御装置とをそなえた表示ユニットと、該表示制御装置に対する表示指示を行なう演算部をそなえ、該表示ユニットとシリアル通信によって通信可能に接続された装置本体部とをそなえて構成される情報処理装置であって、該表示制御装置が、一の該表示部に対する表示制御を行なう第１のモードと、２以上の該表示部に対する表示制御を行なう第２のモードとの２つのモードのうち、いずれかの該モードで選択的に動作可能であって、前記２つのモードのうちいずれのモードで当該表示制御装置が動作するかを判断するモード判断部と、該表示部に表示させる画像データを格納可能な４以上のメモリ手段とをそなえ、該モード判断部が該第２のモードであると判断した場合に、前記４以上のメモリ手段のデータのうち少なくとも２の該メモリ手段を該一の表示部に対する該画像データの表示に用いるとともに、他の２以上の該メモリ手段を他の該表示部に対する該画像データの表示に用い、該モード判断部が該第１のモードであると判断した場合に、前記４以上のメモリ手段を該一の表示部に対する該画像データの表示に用いることを特徴としている。
【発明の効果】
【００１５】
本発明によれば、以下の少なくともいずれか１つの効果ないし利点が得られる。
（１）一つの表示制御装置で２以上の表示部の表示制御を行なうことができるので、２以上の表示部をそなえた情報処理装置の製造コストを低減することができる。
（２）表示制御装置を、一の表示部をそなえた機器と２以上の表示部をそなえた機器との双方に用いることができ、汎用性が高く経済的である。
【００１６】
（３）表示制御装置の外部のプロセッサの負荷を軽減させることができる。
（４）表示部に対してスムーズな画像表示を行なわせることができる。
（５）表示制御装置において画像データの重ね合わせを行なうことができる。
【発明を実施するための最良の形態】
【００１７】
以下、図面を参照して本発明の実施の形態を説明する。
図１は本発明の一実施形態としての表示制御ＬＳＩ（表示制御集積回路，表示制御装置）の構成を模式的に示す図であり、図２（ａ），（ｂ）はそれぞれ本表示制御ＬＳＩがそなえられるカーオーディオの構成例を模式的に示す斜視図であって、（ａ）は１つのタッチパネルをそなえるカーオーディオの例を示す図、（ｂ）は２つのタッチパネルをそなえるカーオーディオの例を示す図である。
【００１８】
本表示制御ＬＳＩ（Large Scale Integration；集積回路）１０は、図２（ａ）に示す
ような、１つのタッチパネル（表示管，表示部）５２ａをそなえるカーオーディオ１ａにおいて、そのタッチパネル５２ａの表示を制御したり、図２（ｂ）に示すような２つのタッチパネル５２ａ，５２ｂをそなえるカーオーディオ１ｂにおいて、これら２つのタッチパネル５２ａ，５２ｂの表示を制御したりするものであり、一のタッチパネル５２ａに対する表示制御を行なう１表示管モード（第１のモード）と、２以上のタッチパネル５２ａ，５２ｂに対する表示制御を行なう２表示管モード（第２のモード）との２つのモードのうち、いずれかのモードで選択的に動作可能に構成されている。
【００１９】
なお、図１に示す例は、２つのタッチパネル５２ａ，５２ｂをそなえたカーオーディオ１ｂを例示しており、以下、この図１を用いて、１表示管モードと２表示管モードの説明を行なう。そして、本表示制御ＬＳＩ１０における１表示管モードについての説明を行なう場合には、表示制御ＬＳＩ１０がタッチパネル５２ａに対する制御を行なう場合について説明する。
【００２０】
また、以下、カーオーディオを示す符号としては、複数のカーオーディオのうち１つを特定する必要があるときには符号１ａ，１ｂを用いるが、任意のカーオーディオを指すときには符号１を用いる。
図２（ａ），（ｂ）に示すカーオーディオ１ａ，１ｂは、図２４（ａ），（ｂ）に示すカーオーディオ２００と同様に、表示パネルユニット１０２の裏面における下部と、装置本体１０１の前面における下部とをヒンジ（図示省略）を介して開閉自在に構成されており、表示パネルユニット１０２を装置本体１０１に対して開状態にすることにより（図２４（ｂ）参照）、装置本体１０１の前面にそなえられたＤＶＤやＣＤ，ＭＤ等のメディア挿入口や各種操作スイッチ（図示省略）が露出し、オペレータが種々メディアの挿入や、操作を行なうことができるようになっている。
【００２１】
また、表示パネルユニット１０２の表面にはタッチパネル（表示管）５２ａ（５２）がそなえられており、表示パネルユニット１０２の閉状態において、オペレータがこのタッチパネル５２ａ（５２ｂ）上に表示される操作ボタン（図示省略）等に触れることにより、種々の入力操作を行なうことができるようになっている。そして、表示パネルユニット１０２には表示パネル基板１０５がそなえられ、この表示パネル基板１０５上に、本表示制御ＬＳＩ１０がそなえつけられている。
【００２２】
一方、装置本体１０１にはメイン基板１０７がそなえられており、カーオーディオ１における種々の制御を行なうＣＰＵ（演算部）５０がそなえられている。又、このＣＰＵ５０は、表示制御ＬＳＩ１０に対する種々の制御や指示等も行なうようになっている。
例えば、ＣＰＵ５０は、タッチパネル５２ａ，５２ｂに静止画像やアニメーション，文字等を表示させるために、表示制御ＬＳＩ１０に対して種々の描画コマンドを送信するようになっている。
【００２３】
そして、表示パネル基板１０５とメイン基板１０７とは、フレキシブルケーブル１０９によって相互に通信可能に接続され、ＣＰＵ５０と表示制御ＬＳＩ１０とはシリアル通信フォーマットにより通信を行なうようになっている。
図３は本表示制御ＬＳＩ１０にＣＰＵ５０から送信される描画コマンドの通信フォーマットの例を示す図であって、ＣＰＵ５０から本表示制御ＬＳＩ１０に対して送信される描画コマンドをシリアル通信フォーマットによって送信する例を示す図である。
【００２４】
この図３に示す例においては、描画コマンドに対してヘッダ，チェックサムおよびＡＣＫ／ＮＡＣＫを付して送信データが構成されている。
タッチパネル（表示管）５２ａ，５２ｂは、表示制御ＬＳＩ１０の制御に従って、静止画や動画（アニメーション），文字等の各種画像を表示するものであり、又、その表面を指等で触れることにより、その指が触れた位置を検知して画面上の位置を指定し、ＣＰＵ５０等にその位置情報やその位置に対応付けられた指示を通知するようになっている。なお、タッチパネル５２ａ，５２ｂにおけるその表面への接触の感知手法としては、圧力の変化を感知する感圧式や静電気による電気信号を感知する静電式が知られている。
【００２５】
また、以下、タッチパネルを示す符号としては、複数のタッチパネルのうち１つを特定する必要があるときには符号５２ａ，５２ｂを用いるが、任意のタッチパネルを指すときには符号５２を用いる。
なお、タッチパネル５２には、例えば、ＴＦＴ（Thin Film Transistor；薄膜トランジスタ）パネル，ＶＦＤ（Vacuum Fluorescent Display；蛍光表示管）パネル，有機ＥＬ（electroluminescence）パネル等、種々のディスプレイを用いることができる。
【００２６】
ＦＲＯＭ（Flash Read Only Memory；フラッシュROM）５１は、タッチパネル５２に表
示させるための絵や文字の画像等のデータを予め格納する不揮発性ＲＯＭメモリ（外部記憶装置）であり、タッチパネル５２に表示させるための複数のフォントデータを格納するフォントデータ格納部としても機能するようになっている。なお、ＦＲＯＭ５１におけるフォントデータの格納手法については後述する。
【００２７】
表示制御ＬＳＩ１０は、図１に示すように、レジスタ部１１，描画部１２，ＲＡＭ（メモリ手段）１３−１，１３−２，１３−３，１３−４，ＲＡＭセレクタ部１４ａ，１４ｂ，表示管制御部１５，コマンド格納メモリ１７，レジスタ異常検出回路１８および表示管異常検知部２０をそなえるほか、図示しないプロセッサをそなえて構成されている。
レジスタ部１１は、タッチパネル５２の設定を行なうものであり、図示しないプロセッサ等が、このレジスタ部１１の設定に基づいて、種々の処理が行なわれるようになっている。例えば、後述の如く、１表示管タイプである旨や２表示管タイプである旨の設定がＣＰＵ５０によってフラグ等により設定されるようになっている。
【００２８】
描画部１２は、ＣＰＵ５０から受信する描画コマンドに基づいて、ＦＲＯＭ５１から所定の画像データを取得し、この取得した画像データをＲＡＭ１３−１，１３−２，１３−３，１３−４に適宜受け渡すものである。
また、描画部１２は、後述する如く、ＦＲＯＭ５１からフォントデータを読み出すフォントデータ取得部としても機能するようになっている。
【００２９】
ＲＡＭ（Random Access Memory）１３−１，１３−２，１３−３，１３−４は、それぞれタッチパネル５２に表示させる画像データを一時的に格納するメモリ手段であり、本実施形態においては、４つのＲＡＭ１３−１，１３−２，１３−３，１３−４がそなえられている。
なお、以下、ＲＡＭ１３−１，１３−２，１３−３，１３−４をそれぞれＲＡＭ１，ＲＡＭ２，ＲＡＭ３，ＲＡＭ４という場合もある。
【００３０】
ＲＡＭセレクタ部１４ａ，１４ｂは、ＲＡＭ１３−１，１３−２，１３−３，１３−４から出力部１５に送るデータの切り替え制御を行なうものであり、ＲＡＭセレクタ部１４ａは、ＲＡＭ１３−１およびＲＡＭ１３−２の、又、ＲＡＭセレクタ部１４ｂは、ＲＡＭ１３−３およびＲＡＭ１３−４の切り替え制御を行なうようになっている。なお、以下、ＲＡＭセレクタ部を示す符号としては、複数のＲＡＭセレクタ部のうち１つを特定する必要があるときには符号１４ａ，１４ｂを用いるが、任意のＲＡＭセレクタ部を指すときには符号１４を用いる。
【００３１】
本実施形態においては、各ＲＡＭ１３−１〜１３−４に画像データを書き込む描画部１２と、各ＲＡＭ１３−１〜１３−４からのデータの読み出しの切り替え制御を行なうＲＡＭセレクタ部１４ａ，１４ｂが、メモリ手段の切替を行なうメモリ切替制御部として機能するようになっている。
出力部１５は、ＲＡＭセレクタ部１４によってＲＡＭ１３−１，１３−２，１３−３，１３−４から送信された画像データをタッチパネル５２に出力するものであり、ＲＡＭセレクタ部１４ａによって出力された画像データをタッチパネル５２ａに出力させるとともに、ＲＡＭセレクタ部１４ｂによって出力された画像データをタッチパネル５２ｂに出力させることにより、２つのタッチパネル５２ａ，５２ｂへの出力を行なわせる２表示管出力や、ＲＡＭセレクタ部１４ａおよびＲＡＭセレクタ１４ｂによって出力された画像データをタッチパネル５２ａもしくはタッチパネル５２ｂに出力させる１表示管出力（第１のモード）を行なうように制御を行なうようになっている。
【００３２】
また、出力部（モード判断部）１５は、１表示管モード（第１のモード）と２表示管モード（第２のモード）２つの動作モードのうちいずれのモードで本表示制御ＬＳＩ１０が動作するかを判断するようになっており、この判断結果に基づいて、１表示管出力もしくは２表示管出力のいずれかを行なうようになっている。
例えば、出力部１５は、レジスタ部１１において設定される特定のフラグ（ビット）に基づいて、本表示制御ＬＳＩ１０の動作モードを判断するようになっている。
【００３３】
カーオーディオ１が、タッチパネル５２を２つそなえた２表示管タイプである場合には、本表示制御ＬＳＩ１０は２表示管モードで機能し、カーオーディオ１が、タッチパネル５２を１つそなえた１表示管タイプである場合には、本表示制御ＬＳＩ１０は１表示管モードで機能するようになっており、これらの動作モードは、工場における出荷時等に製品仕様として設定されるタッチパネル５２の数等によって特定されるようになっており、例えば、カーオーディオ１の起動時等にＣＰＵ５０によって判断され、このＣＰＵ５０によってレジスタ部１１にその旨の設定が行なわれるようになっている。
【００３４】
なお、このような動作モードを特定するための情報の設定場所はレジスタ部１１に限定されるものではなく、表示制御ＬＳＩ１０におけるレジスタ部１１以外の場所に設定されてもよく、又、例えば、ＲＯＭやＲＡＭ等の本表示制御ＬＳＩ１０の外部に設けられたメモリに設定されてもよく、本発明の趣旨を逸脱しない範囲で種々変形して実施することができる。
【００３５】
また、このような動作モードの確認および設定は、カーオーディオ１の起動時に毎回行なってもよく、又、工場出荷時等に予め設定されてもよい。
さらに、出力部１５は、ＲＡＭ１３−１〜１３−４において、少なくとも１のＲＡＭ１３に格納された画像データと、他の少なくとも１のＲＡＭ１３に格納された画像データとを重ね合わせる重合部として機能するようになっている。なお、この出力部１５の重合部としての機能については後述する。
【００３６】
レジスタ異常検出回路１８は電源異常やノイズ等により本表示制御ＬＳＩ１０が誤作動したことを検出するものであり、又、表示管異常検知部２０はタッチパネル５２の異常を検知するものであり、これらの詳細については後述する。
コマンド格納メモリ１７は、ＣＰＵ５０から送信されるコマンドを複数格納するものであり、ＦＩＦＯ（First In First Out）メモリとして構成されている。
【００３７】
図４は本表示制御ＬＳＩ１０におけるコマンド格納メモリ１７の例を示す図であり、このコマンド格納メモリ１７においては、コマンド１〜コマンド４の４つのコマンドを格納することができることを示しており、又、これらの４つのコマンド１〜コマンド４のうち
、最初に格納されたコマンド１から順番に実行されるようになっている。
図５は本表示制御ＬＳＩ１０とＣＰＵ５０との間で送信されるシリアル通信フォーマットの他の例を示す図であって、ＣＰＵ５０から本表示制御ＬＳＩ１０に対して送信される複数（図５に示す例では描画コマンド１〜４の４つ）の描画コマンドをシリアル通信フォーマットによって送信する例を示す図である。
【００３８】
この図５に示す例においては、ＣＰＵ５０から送信される４つの描画コマンド１〜４に対して、一のヘッダ，チェックサムおよびＡＣＫ／ＮＡＣＫをそれぞれ付して１つの送信データが構成されており、このように、ＣＰＵ５０から表示制御ＬＳＩ１０に対して１度に複数のコマンドデータを送信することができ、ＣＰＵ５０と表示制御ＬＳＩ１０との間の通信回数を低減し、これによりＣＰＵ５０の負荷を軽減することができるのである。
【００３９】
上述の如く構成された本発明の一実施形態としての表示制御ＬＳＩ１０における動作モードの判断手法を、図６に示すフローチャート（ステップＡ１０〜Ａ７０）に従って説明する。
カーオーディオ１の電源を投入（ＯＮ）すると、ＣＰＵ５０は、先ず、表示パネルユニット１０２におけるタッチパネル５２の構成を確認し、２表示管タイプであるか否かを判断する（ステップＡ１０）。
【００４０】
２表示管タイプである場合には（ステップＡ１０のＹＥＳルート参照）、ＣＰＵ５０は、レジスタ部１１にアクセスして、２表示管タイプである旨のレジスタ設定を行なう（ステップＡ２０）。出力部１５は、レジスタ部１１の設定に基づいて、２表示管モードでタッチパネル５２ａ，５２ｂに対する画像データの出力制御を行ない（ステップＡ３０）、タッチパネル５２ａ，５２ｂによる表示処理を開始する（ステップＡ４０）。
【００４１】
また、１表示管タイプである場合には（ステップＡ１０のＮＯルート参照）、ＣＰＵ５０は、レジスタ部１１にアクセスして、１表示管タイプである旨のレジスタ設定を行なう（ステップＡ５０）。出力部１５は、レジスタ部１１の設定に基づいて、１表示管モードでタッチパネル５２ａに対する画像データの出力制御を行ない（ステップＡ６０）、タッチパネル５２ａによる表示処理を開始する（ステップＡ７０）。
【００４２】
次に、本発明の一実施形態としての表示制御ＬＳＩ１０における表示制御手法を、図７に示すフローチャート（ステップＢ１０〜Ｂ４０）に従って説明する。
表示制御ＬＳＩ１０は、ＣＰＵ５０から描画コマンドを受信すると（ステップＢ１０）、描画部１２が、その受信した描画コマンドに基づいてＦＲＯＭ５１にアクセスして、タッチパネル５２に表示させる画像データを取得して（ステップＢ２０）、その取得した画像データをＲＡＭ１３に格納する（ステップＢ３０）。そして、出力部１５が、このＲＡＭ１３に格納された画像データをタッチパネル５２に出力させるのである（ステップＢ４０）。
【００４３】
また、本表示制御ＬＳＩ１０における１表示管モードにおける処理を、図８に示すフローチャート（ステップＣ１０〜Ｃ１２０）に従って説明する。
ＣＰＵ５０から描画コマンドを受信すると（ステップＣ１０）、描画部１２が、タッチパネル５２に表示させるための画像データをＦＲＯＭ５１から順次取得（コピー）して、ＲＡＭ１３−１，ＲＡＭ１３−２，ＲＡＭ１３−３，ＲＡＭ１３−４にそれぞれコピーする（ステップＣ２０〜Ｃ５０）。
【００４４】
そして、先ず、ＲＡＭ１３−１に格納された画像データをＲＡＭセレクタ部１４ａおよび出力部１５によってタッチパネル５２ａに表示させ（ステップＣ６０）、ＣＰＵ５０から表示切り替え指示信号を受信すると（ステップＣ７０）、次に、ＲＡＭセレクタ部１４
ａおよび出力部１５によりＲＡＭ１３−２に格納された画像データをタッチパネル５２ａに表示させる（ステップＣ８０）。
【００４５】
以下、同様にして、ＣＰＵ５０から表示切り替え指示信号を受信すると（ステップＣ９０）、ＲＡＭセレクタ部１４ｂおよび出力部１５によりＲＡＭ１３−３に格納された画像データをタッチパネル５２ａに表示させ（ステップＣ１００）、更に、ＣＰＵ５０から表示切り替え指示信号を受信すると（ステップＣ１１０）、ＲＡＭセレクタ部１４ｂおよび出力部１５によりＲＡＭ１３−４に格納された画像データをタッチパネル５２ａに表示させる（ステップＣ１２０）。
【００４６】
このように、４つのＲＡＭ１３−１〜１３−４にそれぞれ格納されたデータを、ＣＰＵ５０から送信される表示切り替え指示信号に基づいて、ＲＡＭセレクタ部１４ａ，１４ｂが順次切り替えてタッチパネル５２に表示させることにより、ＣＰＵ５０は表示切り替え指示信号を出力するだけでよく、その負荷を軽減することができる。
また、本表示制御ＬＳＩ１０においては、１表示管モードにおいて、４つのＲＡＭ１３−１〜１３−４にそれぞれ格納されたデータについて、例えば、ＲＡＭ１３−１に格納された画像データとＲＡＭ１３−３に格納されたデータとを重ね合わせたり、ＲＡＭ１３−１に格納された画像データとＲＡＭ１３−３に格納されたデータとを重ね合わせたりすることにより、より複雑な画像をタッチパネル５２ａに表示させることができる。
【００４７】
図９は本表示制御ＬＳＩ１０における１表示管モードでの画像データの重ね合わせ手法を説明するための図である。
出力部１５は、例えば、ＲＡＭ１３−１もしくはＲＡＭ１３−２のいずれか一方から出力される画像データと、ＲＡＭ１３−３もしくはＲＡＭ１３−４のいずれか一方から出力される画像データとを重ね合わせた画像データを形成し、このようにして重ね合わせた画像データをタッチパネル５２ａに出力するのである。
【００４８】
すなわち、出力部１５は、ＲＡＭ１３−１〜１３−４において、少なくとも１のＲＡＭ１３に格納された画像データと、他の少なくとも１のＲＡＭ１３に格納された画像データとを重ね合わせる重合部として機能するようになっている。
本発明の一実施形態としての表示制御ＬＳＩ１０における１表示管モードでの画像データの重ね合わせ手法を、図１０に示すフローチャート（ステップＤ１０〜Ｄ６０）に従って説明する。
【００４９】
出力部１５は、ＲＡＭ１３−１に格納された画像データとＲＡＭ１３−３に格納された画像データとを重ね合わせてタッチパネル５２ａに出力し（ステップＤ１０）、ＣＰＵ５０から次の画像データ（ＲＡＭ１３−２の画像データとＲＡＭ１３−４の画像データとを重ね合わせたデータ）を描画させるための描画コマンドを受信すると、描画部１２が、タッチパネル５２に表示させるための画像データをＦＲＯＭ５１から取得（コピー）して、ＲＡＭ１３−２およびＲＡＭ１３−４にコピーする（ステップＤ２０）。
【００５０】
そして、ＣＰＵ５０から表示切り替え指示信号を受信すると（ステップＤ３０）、出力部１５は、ＲＡＭ１３−２に格納された画像データとＲＡＭ１３−４に格納された画像データとを重ね合わせてタッチパネル５２ａに出力し（ステップＤ４０）、更に、ＣＰＵ５０から次の画像データ（ＲＡＭ１３−１の画像データとＲＡＭ１３−３の画像データとを重ね合わせたデータ）を描画させるためのコマンド（描画コマンド）を受信すると、描画部１２が、タッチパネル５２ａに表示させるための画像データをＦＲＯＭ５１から取得（コピー）して、ＲＡＭ１３−１およびＲＡＭ１３−３にコピーする（ステップＤ５０）。
【００５１】
その後、ＣＰＵ５０から表示切り替え指示信号を受信すると（ステップＤ６０）、ステ
ップＤ１０に戻る。
また、本表示制御ＬＳＩ１０においては、予めＦＲＯＭ５１に格納する画像データに対して、画像の重ね合わせを行なうか否かを判断するための透過情報を、“０”もしくは“１”のビット（透過ビット，フラグ）として設定しておき、上述の如き１表示管モードにおいて、４つのＲＡＭ１３−１〜１３−４のうち２つのＲＡＭ１３に格納された画像データの重ね合わせを行なうに際して、更に、この透過ビットに基づいて重ね合わせ処理を行なうか否かの判断を行なってもよい。
【００５２】
図１１は本発明の一実施形態としての表示制御ＬＳＩ１０によって参照されるＦＲＯＭ５１に格納される画像データの例を示す図である。この図１１に示す例においては、各画像データに対して、それぞれ、“０”もしくは“１”の透過ビットを設定することができるようになっている。
そして、その画像データに対して他の画像データを重ね合わせない場合には、その画像データに対して透過ビット“１”を予め設定しておき、又、その画像データに対して他の画像データを重ね合わせる場合には、その画像データに対して透過ビット“０”を予め設定しておく。
【００５３】
本発明の一実施形態としての表示制御ＬＳＩ１０における透過ビットを用いた重ね合わせ表示に関する判断手法を、図１２に示すフローチャート（ステップＥ１０〜Ｅ４０）に従って説明する。なお、本例は、ＲＡＭ１３−１に格納された画像データとＲＡＭ１３−３に格納された画像データとを重ね合わせる場合において、ＲＡＭ１３−３に格納された画像データに対して、他の画像との重ね合わせを行なうか否かを判断するものである。
【００５４】
ＲＡＭ１３−１に格納された画像データとＲＡＭ１３−３に格納された画像データとを重ね合わせる場合に（ステップＥ１０）、出力部１５は、ＲＡＭ１３−３に格納された画像データの透過ビットが“１”であるか否かを判断して（ステップＥ２０）、透過ビットが“１”の場合には（ステップＥ２０のＹＥＳルート参照）、出力部１５は、ＲＡＭ１３−３に格納されている画像データをそのままタッチパネル５２に出力させる（ステップＥ３０）。
【００５５】
一方、画像データに設定されている透過ビットが“０”の場合には（ステップＥ２０のＮＯルート参照）、出力部１５は、ＲＡＭ１３−３に格納されている画像データにＲＡＭ１３−１に格納されている画像データを重ね合わせてタッチパネル５２に出力させる（ステップＥ４０）。
また、本表示制御ＬＳＩ１０においては、タッチパネル５２にアニメーションを表示させるための制御を行なうこともできるようになっている。
【００５６】
図１３は本発明の一実施形態としての表示制御ＬＳＩ１０によって参照されるＦＲＯＭ５１に格納されるアニメーション用の画像データ（フレーム画）の例を示す図である。ＦＲＯＭ５１には、この図１３に示すように、アニメーションを行なうためのフレーム画を格納しており、ＣＰＵ５０からアニメーションを行なう旨の描画コマンド（アニメーション指示信号）を受信した場合には、描画部１２は、ＦＲＯＭ５１からこれらのフレーム画を順次取得し、ＲＡＭ１３−１〜ＲＡＭ１３−４に格納する。
【００５７】
なお、かかるアニメーションを行なうに際して、例えば、図８のフローチャートに示したように、ＲＡＭ１３−１〜ＲＡＭ１３−４の全てにフレーム画を格納して、これらのフレーム画を順次切り替えてタッチパネル５２ａに出力することにより、アニメーションを実現してもよく、又、ＲＡＭ１３−１〜ＲＡＭ１３−４の一部を用いてアニメーションを実現してもよい。
【００５８】
本発明の一実施形態としての表示制御ＬＳＩ１０によるアニメーションの実現手法の例を、図１４に示すフローチャート（ステップＦ１０〜Ｆ６０）に従って説明する。なお、この図１４に示す例においては、ＲＡＭ１３−１およびＲＡＭ１３−２のみを用いてアニメーションを行なうようになっている。
表示制御ＬＳＩ１０は、ＣＰＵ５０からアニメーションの描画コマンドを受信すると（ステップＦ１０）、描画部１２が、その受信した描画コマンドに基づいてＦＲＯＭ５１にアクセスして、タッチパネル５２にアニメーションとして表示させるフレーム画を取得（コピー）して、その取得したフレーム画をＲＡＭ１３−１に格納する（ステップＦ２０）。そして、出力部１５が、このＲＡＭ１３−１に格納されたフレーム画をタッチパネル５２ａに出力させる（ステップＦ３０）。
【００５９】
また、描画部１２は、アニメーションとして表示させる次のフレーム画をＦＲＯＭ５１から取得（コピー）して、その取得したフレーム画をＲＡＭ１３−２に格納する（ステップＦ４０）。そして、出力部１５は、次にこのＲＡＭ１３−２に格納されたフレーム画をタッチパネル５２ａに出力させる（ステップＦ５０）。
描画部１２は、アニメーションの最後のフレームであるｎフレームまで出力を行なったか否かを判断して（ステップＦ６０）、ｎフレーム目まで終了していない場合には（ステップＦ６０のＮＯルート参照）、ステップＦ２０に戻り、ｎフレーム目までの出力が完了するまで、ステップＦ２０〜Ｆ５０を繰り返し行なう。
【００６０】
そして、ｎフレームまでの出力が完了した場合には（ステップＦ６０のＹＥＳルート参照）、処理を完了する。
また、本表示制御ＬＳＩ１０においては、タッチパネル５２上に任意のサイズのアニメーション表示領域（部分領域）を設定し、このアニメーション表示領域にアニメーションを表示させるとともに、タッチパネル５２上におけるアニメーション表示領域以外の領域（以下、他領域）にも、画像表示領域に表示されたアニメーションとは別の静止画像やアニメーションを表示させることができるようになっている。
【００６１】
図１５は本発明の一実施形態としての表示制御ＬＳＩ１０におけるタッチパネル５２のイメージの例を示す図である。なお、この図１５に示す例においては、タッチパネル５２上に画面横方向寸法ｘ×画面縦方向寸法ｙのアニメーション表示領域が示されている。
このようなアニメーション表示領域は、オペレータ等がタッチパネル５２等を用いて任意に設定することができるようになっており、タッチパネル５２が、アニメーションを部分的に表示させる部分領域を設定可能な部分領域設定部として機能するようになっている。
【００６２】
また、アニメーション表示領域を他領域とともにタッチパネル５２上に表示させるためには、本表示制御ＬＳＩ１０は、ＲＡＭ１３−１〜１３−４のうち２つのＲＡＭ１３（例えばＲＡＭ１３−１，ＲＡＭ１３−２）を用いて、図１４に示した手法により、アニメーション表示領域におけるアニメーションを行ない、他の２つのＲＡＭ１３（例えばＲＡＭ１３−３，ＲＡＭ１３−４）を用いて、他表示領域に対する表示制御を行なう。
【００６３】
なお、他表示領域には、アニメーションを表示させても静止画像を表示させてもよく、又、アニメーション表示領域に対しても静止画像を表示させてもよい。
また、本表示制御ＬＳＩ１０においては、前記２以上のＲＡＭ１３にそれぞれ格納された画像データをタッチパネル５２に対して表示させる時間を任意に設定することができるようになっており、例えば、オペレータがタッチパネル（表示間隔設定部）５２等を用いて入力・設定した時間（切替時間，フレーム表示間隔）をレジスタ部１１等に保存しておき、ＲＡＭセレクタ部１４が、このフレーム表示間隔に従ってＲＡＭ１３の切替制御を行なうようになっている。
【００６４】
図１６および図１７は本発明の一実施形態としての表示制御ＬＳＩ１０におけるフレーム表示間隔と出力されるアニメーション（出力画）との関係を示す図であり、図１６に示すように、フレーム表示間隔が長い場合には、ゆっくりとしたアニメーションがタッチパネル５２上に表示され、図１７に示すように、フレーム表示間隔が短い場合には、素早いアニメーションがタッチパネル５２上に表示されるようになっており、このような種々のアニメーションを本表示制御ＬＳＩ１０によって実現することができるのである。
【００６５】
図１８は本発明の一実施形態としての表示制御ＬＳＩ１０における２表示管モードにおけるＲＡＭ１３の利用手法を説明するための図である。
本表示制御ＬＳＩ１０は、２表示管モードにおいては、図１８に示すように、ＲＡＭ１３−１，１３−２がタッチパネル５２ａに表示する画像データの格納に用いられ、ＲＡＭ１３−３，１３−４がタッチパネル５２ｂに表示する画像データの格納に用いられるようになっている。
【００６６】
すなわち、２表示管モードにおいて、例えば、タッチパネル５２ａに画像を表示させる場合には、ＲＡＭ１３−１に格納されている画像データをＲＡＭセレクタ１４ａが出力部１５に出力させている間に、描画部１２はＲＡＭ１３−２に画像データを格納し、ＲＡＭ１３−２に格納されている画像データをＲＡＭセレクタ１４ａが出力部１５に出力させている間に、描画部１２はＲＡＭ１３−１に画像データを格納するようになっている。又、タッチパネル５２ｂにおいても同様に、ＲＡＭ１３−３，１３−４が用いられるのである。
【００６７】
さて、ＦＲＯＭ５１には、画像データの他に、前述したようにフォントデータも格納されている。
図１９は本表示制御ＬＳＩ１０によって参照されるＦＲＯＭ５１におけるフォントデータの格納手法を説明するための図、図２０は本表示制御ＬＳＩ１０によりフォント画像が表示されたタッチパネル５２の例を示す図である。
【００６８】
ＦＲＯＭ５１においては、図１９に示すように、タッチパネル５２に表示させるための複数のフォントデータを、そのフォントデータのフォントサイズ間隔でそれぞれ格納するようになっている。
例えば、図１９に示す例においては、ＦＲＯＭ５１におけるアドレス00X1の位置からフォント１のフォントサイズ分離れた位置（00x1＋フォントサイズ）までの領域にフォント１のフォントデータが格納されており、アドレス00X1からフォント１のフォントサイズ分シフトした位置からフォント２のフォントデータが格納されている。
【００６９】
すなわち、ＦＲＯＭ５１においては、各フォントデータは、そのフォントのフォントサイズに相当する領域に格納されているのである。
ＣＰＵ５０は、タッチパネル５２に表示させるフォントのサイズを描画コマンドによって指定するとともに、その表示させたいフォントの実際のデータ（ＡＳＣＩＩコード等）を表示制御ＬＳＩ１０に対して送信する。表示制御ＬＳＩ１０においては、描画部（演算ユニット）１２が、ＦＲＯＭ５１におけるそのフォント（指定フォント）の格納位置のアドレスを算出し、このアドレスを用いてＦＲＯＭ５１から指定フォントを取得してＲＡＭ１３にコピーすることにより、タッチパネル５２上にそのフォントデータを表示させることができる。
【００７０】
例えば、図２０に示すようにフォント２，フォント１およびフォント３からなる３つの文字をタッチパネル５２に表示させる場合には、ＣＰＵ５０は、
描画コマンド＝（フォントサイズ，フォント２のASCIIコード，フォント３のASUCIIコー
ド，フォント１のASCIIコード）
を表示制御ＬＳＩ１０に対して送信し、表示制御ＬＳＩ１０においては、描画部１２が、この描画コマンドに基づいて、各フォント１〜３のフォントデータのＦＲＯＭ５１における格納位置を算出する。
【００７１】
具体的には、描画部１２は、フォントサイズ分だけアドレスをシフトするものであり、例えば、
フォント２のアドレス＝フォント２のASCIIコード＜＜フォントサイズ
の如き演算を行なう。
また、本表示制御ＬＳＩ１０においては、表示メモリ領域に対するオフセットを指定することにより、タッチパネル５２に出力する画像やフォントを移動させることができるようになっている。
【００７２】
図２１（ａ），（ｂ），（ｃ）はそれぞれ本発明の一実施形態としての表示制御ＬＳＩ１０におけるオフセットを用いた文字画像の移動表示手法の例を示す図であり、画面左側に設定されたオフセット位置を黒丸で示しており、その黒丸の画面左上位置からの距離をオフセット量（オフセット量Ｘ，オフセット量Ｙ）として示している。
本表示制御ＬＳＩ１０においては、予め移動させるオフセット量をレジスタ値としてレジスタ部１１に設定しておき、ＣＰＵ５０がこのレジスタ値を順次変更することにより、タッチパネル５２に表示された文字“ＡＢＣ”が時系列に沿って画面右下方向に移動（スクロール）して見える様子が示されている。
【００７３】
これにより、ＣＰＵ５０においては、レジスタ値（オフセット値）を変更することにより、スクロール等のアニメーション表示を実現することができ、ＣＰＵ５０の負荷を軽減させることができる。
図２２は本表示制御ＬＳＩ１０におけるレジスタ異常検出回路１８の構成を模式的に示す図である。レジスタ異常検出回路１８は、図２２に示すように、ＦＦ（Flip-Flop）１
８１と比較器１８２とをそなえて構成されている。そして、表示制御ＬＳＩ１０のパリティ演算部１９による演算結果信号と、本表示制御ＬＳＩ１０によって生成されるレジスタ更新パルスとがＦＦ１８１に入力されるようになっており、又、表示制御ＬＳＩ１０のパリティ演算部１９による演算結果信号とＦＦ１８１からの出力信号とが比較器１８２に入力されるように構成されている。
【００７４】
なお、レジスタ更新パルスは、ＣＰＵ５０によって本表示制御ＬＳＩ１０のレジスタ（レジスタ部１１）が書き換えられた時に、表示制御ＬＳＩ１０によって生成されるものであり、ノイズ等により本表示制御ＬＳＩ１０のレジスタ（レジスタ部１１）が書き換えられた時には生成されないものである。
このような構成により、ＦＦ１８１には、レジスタ更新パルスが入力された際におけるパリティ演算部１９による演算結果が保持されるようになっており、例えば、電源異常・ノイズにより本表示制御ＬＳＩ１０のレジスタ（レジスタ部１１）が書き換えられ、パリティ演算部１９が誤作動してノイズに基づく演算を行なった場合には、比較器１８２において、パリティ演算部１９から入力される演算結果とＦＦ１８１から入力される演算結果（正しい演算結果）とが異なるものであることが検出され、異常検出信号が出力される。
【００７５】
すなわち、レジスタ異常検出回路１８においては、比較器１８２における比較結果として不一致が検出された場合に、レジスタ異常が発生したことを検出することができ、これにより、本表示制御ＬＳＩ１０の信頼性を向上させることができる。
図２３（ａ），（ｂ），（ｃ）は本表示制御ＬＳＩ１０の表示管異常検知部２０における異常検知手法を説明するための図であり、（ａ）はタッチパネル５２からの入力信号、（ｂ）はカウンタ、（ｃ）は異常検知信号をそれぞれ示す図である。
【００７６】
表示管異常検知部２０は、所定の周期でクロックアップするカウンタをそなえて構成されるとともに、タッチパネル５２からの入力信号を監視し、タッチパネル５２から入力信号に変化がある度にこのカウンタの値を０リセットするようになっている。そして、タッチパネル５２からの入力信号に変化が無い場合には、このカウンタの値がインクリメントされ続け、カウンタ値が予め設定された閾値に達した場合に、タッチパネル５２からの入力信号に変化がなく、タッチパネル５２になんらかの異常が生じたものと判断して、異常検知信号を出力するようになっている。
【００７７】
そして、これらのレジスタ異常検出回路１８や表示管異常検知部２０によって異常が検出・検知された場合には、これらのレジスタ異常検出回路１８や表示管異常検知部２０から出力される検出・検知信号が、割り込み信号としてメイン基板１０７（ＣＰＵ５０）に入力されるようになっており、これにより、ＣＰＵ５０は、異常が生じた旨を迅速に検知することができるようになっている。
【００７８】
このように、本発明の一実施形態としての表示制御ＬＳＩ１０によれば、一つの表示制御ＬＳＩ１０で２以上のタッチパネル５２の表示制御を行なうことができるので、２以上のタッチパネル５２をそなえたカーオーディオ（情報処理装置）の製造コストを低減することができる。
また、本表示制御ＬＳＩを、一のタッチパネル５２ａをそなえたカーオーディオ（情報処理装置）と２以上のタッチパネル５２をそなえたカーオーディオとの双方に用いることができ、汎用性が高く経済的である。
【００７９】
さらに、タッチパネル５２に対して動画や静止画像をスムーズに表示させることができ、特に、１表示管モードにおいて、動画や静止画像をスムーズに表示させることができる。
また、表示制御ＬＳＩ１０において画像データの重ね合わせやアニメーション，フォントデータの取得等を行なうことができ、ＣＰＵ５０の負荷を軽減させることができる。
【００８０】
そして、本発明は上述した実施形態に限定されるものではなく、本発明の趣旨を逸脱しない範囲で種々変形して実施することができる。
なお、上述した実施形態においては、ＲＡＭ１３−１に格納された画像データとＲＡＭ１３−３に格納されたデータと、もしくは、ＲＡＭ１３−１に格納された画像データとＲＡＭ１３−３に格納されたデータとを重ね合わせているが、これに限定されるものではなく、例えば、ＲＡＭ１３−１に格納された画像データに対して、ＲＡＭ１３−２やＲＡＭ１３−４に格納されたデータを重ね合わせてもよく、更に、これらのＲＡＭ１３−１〜１３−４に格納された画像データを全て重ね合わせてもよく、本発明の主旨を逸脱しない範囲で種々変形して実施することができる。
【００８１】
また、上述した実施形態においては、２以上の表示部をそなえた例として、２つのタッチパネル５２をそなえたカーオーディオ１ｂを示しているが、これに限定されるものではなく、３以上の表示部をそなえたカーオーディオに本表示制御ＬＳＩ１０を適用してもよい。この場合、ＲＡＭ１３は、そなえられる表示部数の２の倍数個そなえることが望ましい。
【００８２】
なお、本発明の各実施形態が開示されていれば、本発明を当業者によって実施・製造することが可能である。
【産業上の利用可能性】
【００８３】
表示管と表示制御ＬＳＩとをそなえた表示パネルユニットと装置本体とをフレキシブル
ケーブル等によってシリアル通信で接続して構成される情報処理装置に適用できる。
【図面の簡単な説明】
【００８４】
【図１】本発明の一実施形態としての表示制御ＬＳＩの構成を模式的に示す図である。
【図２】（ａ），（ｂ）はそれぞれ本発明の一実施形態としての表示制御ＬＳＩがそなえられるカーオーディオの構成例を模式的に示す斜視図である。
【図３】本発明の一実施形態としての表示制御ＬＳＩにＣＰＵから送信される描画コマンドの通信フォーマットの例を示す図である。
【図４】本発明の一実施形態としての表示制御ＬＳＩにおけるコマンド格納メモリの例を示す図である。
【図５】本発明の一実施形態としての表示制御ＬＳＩとＣＰＵとの間で送信されるシリアル通信フォーマットの他の例を示す図である。
【図６】本発明の一実施形態としての表示制御ＬＳＩにおける動作モードの判断手法を説明するためのフローチャートである。
【図７】本発明の一実施形態としての表示制御ＬＳＩにおける表示制御手法を説明するためのフローチャートである。
【図８】本発明の一実施形態としての表示制御ＬＳＩにおける１表示管モードにおける処理を説明するためのフローチャートである。
【図９】本発明の一実施形態としての表示制御ＬＳＩにおける１表示管モードでの画像データの重ね合わせ手法を説明するための図である。
【図１０】本発明の一実施形態としての表示制御ＬＳＩにおける１表示管モードでの画像データの重ね合わせ手法を説明するためのフローチャートである。
【図１１】本発明の一実施形態としての表示制御ＬＳＩによって参照されるＦＲＯＭに格納される画像データの例を示す図である。
【図１２】本発明の一実施形態としての表示制御ＬＳＩにおける透過ビットを用いた重ね合わせ表示に関する判断手法を説明するためのフローチャートである。
【図１３】本発明の一実施形態としての表示制御ＬＳＩによって参照されるＦＲＯＭに格納されるアニメーション用の画像データ（フレーム画）の例を示す図である。
【図１４】本発明の一実施形態としての表示制御ＬＳＩによるアニメーションの実現手法の例を説明するためのフローチャートである。
【図１５】本発明の一実施形態としての表示制御ＬＳＩにおけるタッチパネルのイメージの例を示す図である。
【図１６】本発明の一実施形態としての表示制御ＬＳＩにおけるフレーム表示間隔と出力されるアニメーション（出力画）との関係を示す図である。
【図１７】本発明の一実施形態としての表示制御ＬＳＩにおけるフレーム表示間隔と出力されるアニメーション（出力画）との関係を示す図である。
【図１８】本発明の一実施形態としての表示制御ＬＳＩにおける２表示管モードにおけるＲＡＭの利用手法を説明するための図である。
【図１９】本発明の一実施形態としての表示制御ＬＳＩによって参照されるＦＲＯＭにおけるフォントデータの格納手法を説明するための図である。
【図２０】本発明の一実施形態としての表示制御ＬＳＩによりフォント画像が表示されたタッチパネルの例を示す図である。
【図２１】（ａ），（ｂ），（ｃ）はそれぞれ本発明の一実施形態としての表示制御ＬＳＩにおけるオフセットを用いた文字画像の移動表示手法の例を示す図である。
【図２２】本発明の一実施形態としての表示制御ＬＳＩにおけるレジスタ異常検出回路の構成を模式的に示す図である。
【図２３】本発明の一実施形態としての表示制御ＬＳＩの表示管異常検知部における異常検知手法を説明するための図である。
【図２４】（ａ），（ｂ）はカーオーディオの構成例を模式的に示す斜視図である。
【図２５】図２４（ａ），（ｂ）に示すカーオーディオの回路基板の構成を示す図である。
【図２６】カーオーディオの他の構成例を模式的に示す斜視図である。
【図２７】従来のカーオーディオにおける表示パネルユニットの回路基板の構成を示す図である。
【符号の説明】
【００８５】
１    カーオーディオ（情報処理装置）
１０    表示制御ＬＳＩ（表示制御装置）
１１    レジスタ部
１２    描画部（フォントデータ取得部，メモリ切替制御部）
１３，１３−１，１３−２，１３−３，１３−４    ＲＡＭ（メモリ手段）
１４，１４ａ，１４ｂ    ＲＡＭセレクタ部（メモリ切替制御部）
１５    出力部（モード判断部，重合部
１７    コマンド格納メモリ
１８    レジスタ異常検出回路
１９    パリティ演算部
２０    表示管異常検知部
５０    ＣＰＵ
５１    ＦＲＯＭ（フォントデータ格納部）
５２，５２ａ，５２ｂ    タッチパネル（表示部，部分領域設定部）
１０５    表示パネル基板
１０７    メイン基板
【図１】
2006258862.tif 000003
【図２】
2006258862.tif 000004
【図３】
2006258862.tif 000005
【図４】
2006258862.tif 000006
【図５】
2006258862.tif 000007
【図６】
2006258862.tif 000008
【図７】
2006258862.tif 000009
【図８】
2006258862.tif 000010
【図９】
2006258862.tif 000011
【図１０】
2006258862.tif 000012
【図１１】
2006258862.tif 000013
【図１２】
2006258862.tif 000014
【図１３】
2006258862.tif 000015
【図１４】
2006258862.tif 000016
【図１５】
2006258862.tif 000017
【図１６】
2006258862.tif 000018
【図１７】
2006258862.tif 000019
【図１８】
2006258862.tif 000020
【図１９】
2006258862.tif 000021
【図２０】
2006258862.tif 000022
【図２１】
2006258862.tif 000023
【図２２】
2006258862.tif 000024
【図２３】
2006258862.tif 000025
【図２４】
2006258862.tif 000026
【図２５】
2006258862.tif 000027
【図２６】
2006258862.tif 000028
【図２７】
2006258862.tif 000029